(57)【要約】【課題】  針無しの綴じ処理を行う場合でも、綴じ位置によって印刷すべき画像データを可読性よくシートに印刷する。【解決手段】    複数のシートを針無しで綴じる綴じ処理を行う綴じ手段を制御する印刷制御装置において、針を用いない綴じ処理が指定されている場合に、ＣＰＵ１１１は、シートに印刷すべき画像データの印刷領域を調整することを特徴とする。【選択図】  図１０
2013172370.tif 000002
【特許請求の範囲】
【請求項１】
複数のシートを針を用いずに綴じる綴じ処理を行う綴じ手段を制御する印刷制御装置であって、
画像データをシートに印刷する印刷手段と、
前記綴じ手段による綴じ処理が指定されている場合、シートに印刷すべき前記画像データの印刷領域を調整する制御手段と、
を備えることを特徴とする印刷制御装置。
【請求項２】
前記制御手段は、前記綴じ手段による綴じ処理が指定されている場合、シートに印刷すべき前記画像データを縮小して印刷領域を調整することを特徴とする請求項１記載の印刷制御装置。
【請求項３】
前記制御手段は、前記綴じ手段による綴じ処理が指定されている場合、シートに印刷すべき前記画像データの印刷位置を移動して印刷領域を調整することを特徴とする請求項１記載の印刷制御装置。
【請求項４】
前記制御手段は、前記綴じ手段による綴じ処理が指定されている場合、シートに印刷すべき前記画像データを縮小し、かつ、前記画像データの印刷位置を移動して印刷領域を調整することを特徴とする請求項１記載の印刷制御装置。
【請求項５】
前記制御手段は、前記シートに印刷すべき前記画像データの印刷領域を調整したことを示す画像処理情報を符号化して前記シートに前記画像データと前記画像処理情報を印刷するように前記印刷手段を制御することを特徴とする請求項１記載の印刷制御装置。
【請求項６】
前記シートに印刷された前記画像処理情報と画像データとを読み取る読み取り手段を備え、
前記制御手段は、前記読み取り手段が読み取った前記画像処理情報と画像データとに基づいて、読み取った前記画像データを印刷すべき印刷領域を調整することを特徴とする請求項５記載の印刷制御装置。
【請求項７】
前記制御手段は、ユーザによる選択指示に従い、符号化された前記画像処理情報を印刷するかどうかを制御することを特徴とする請求項５記載の印刷制御装置。
【請求項８】
前記制御手段は、前記読み取り手段が符号化された前記画像処理情報を読み取った場合、ユーザによる選択指示に従い、読み取った画像データの印刷領域を調整するかどうかを制御することを特徴とする請求項６記載の印刷制御装置。
【請求項９】
画像データをシートに印刷する印刷手段を制御する印刷制御装置の制御方法であって、
複数のシートを針を用いないで綴じる綴じ処理を綴じ手段で行う綴じ工程と、
前記綴じ手段による綴じ処理が指定されている場合、シートに印刷すべき前記画像データの印刷領域を調整する制御工程と、
を備えることを特徴とする印刷制御装置の印刷制御方法。
【請求項１０】
請求項９に記載の印刷制御装置の印刷制御方法をコンピュータに実行させることを特徴とするプログラム。
【発明の詳細な説明】
【技術分野】
【０００１】
本発明は、画像データをシートに印刷する印刷手段を制御する印刷制御装置、印刷制御装置の制御方法、及びプログラムに関するものである。
【背景技術】
【０００２】
コピーやプリンタ機能をもつ画像処理装置には、出力する印刷シートを後処理するシート処理装置が付属しているものがある。このシート処理装置の持つ代表的な機能としてステイプル綴じ機能がある。ステイプル綴じ機能は金属の針金を使用してシートを綴じる機能である。
ステイプル綴じされた印刷物は部ごとに取り扱いやすいため、複数ページの出力物を扱う際に広く使用されている。
【０００３】
しかし、最近では金属針を使用している面から環境への配慮が行われ、針を使用しない綴じ方法が考案されている。例えば綴じる一組の印刷シートの一部をまとめてくりぬくように切り取り、その切り先を織り込んで綴じる方法が考案されている（下記特許文献１参照）。
【先行技術文献】
【特許文献】
【０００４】
【特許文献１】特開平８−３００８４７号公報
【発明の概要】
【発明が解決しようとする課題】
【０００５】
前述したように綴じ処理を行う印刷装置において、金属針を使用しないで綴じる方法は様々と実用化されているが、金属針を使用したステイプル綴じ方式と比較して異なる特徴がある。
それは、綴じる強度を一定以上持たせるためには紙に加工する面積が大きくなるという点である。金属針を使用したステイプル綴じの場合は、針が印刷紙束の下まで貫通して綴じていれば一定の強度が得られる。
【０００６】
しかし、例えば糊付けで綴じる場合は、糊付けする紙の面積がある程度大きくならないと綴じる強度は得られない。同様に紙をくり抜いて綴じる方式でもくり抜く紙の面積が大きくならないと強度は得られず、また押しつけて綴じる方式でも押しつけて綴じる部分の面積が大きいほど綴じる強度は強くなる。
また、従来の金属針で綴じていた方式で、針部分が占有していた綴じるための領域ほど細い領域部分の紙加工では紙を綴じる強度が出ない可能性がある。
そのため、針を使用しないこのような綴じ方式をユーザが使用した場合、ユーザの望む綴じる強度を得るために従来よりも大きな領域を綴じるために加工する必要がある。
以下、図１３を参照して、綴じた印刷物を閲覧する場合、ユーザの可視領域が従来よりも狭くなるという問題について説明する。
【０００７】
図１３は、綴じる領域が広くなると原稿の可視領域が狭くなるようすを示した図である。この例では隅を１点綴じる場合の例を挙げている。
図１３において、金属の針を使用した綴じ例３０１では原稿の端に打っても綴じる強度があるため、原稿をめくった場合に次のページ部分の可視領域が広い。しかし、綴じ例３０２のように金属針を使用しない綴じ方法では、綴じる強度を持たせるため、綴じ部分の面積が広くなる。すると、金属針を使用した場合の綴じ位置よりも内側まで綴じ部分が来るため、原稿をめくった場合に次のページ部分の可視領域が狭くなる。なお、本例では、左上隅を１点綴じる場合の例を挙げている。
このように針無しの綴じ機能を使用した場合には、従来の針を使用するステイプル綴じ機能を使用した場合に比べて出力された印刷物が見にくくなるという課題がある。
【０００８】
本発明は、上記の課題を解決するためになされたもので、本発明の目的は、針無しの綴じ処理を行う場合でも、印刷すべき画像データを可読性よくシートに印刷できる仕組みを提供することである。
【課題を解決するための手段】
【０００９】
上記目的を達成する本発明の印刷制御装置は以下に示す構成を備える。
複数のシートを針を用いずに綴じる綴じ処理を行う綴じ手段を制御する印刷制御装置であって、画像データをシートに印刷する印刷手段と、前記綴じ手段による綴じ処理が指定されている場合、シートに印刷すべき前記画像データの印刷領域を調整する制御手段と、を備えることを特徴とする。
【発明の効果】
【００１０】
本発明によれば、針無しの綴じ処理を行う場合でも、印刷すべき画像データを可読性よくシートに印刷できる。
【図面の簡単な説明】
【００１１】
【図１】印刷制御装置を適用する画像処理装置の構成を説明するブロック図である。
【図２】シート処理部の構成例を示す断面図である。
【図３】各綴じ部との配置および綴じ作業域を示す図である。
【図４】図２に示した第２の綴じ部の綴じ処理を説明する断面図である。
【図５】図２に示した第２の綴じ部の綴じ処理動作を説明する断面図である。
【図６】図２に示した第２の綴じ部の綴じ処理動作を説明する断面図である。
【図７】印刷制御装置における画像出力処理を説明する図である。
【図８】図１に示した操作部に表示されるＵＩ画面の一例を示す図である。
【図９】印刷制御装置の制御方法を説明するフローチャートである。
【図１０】印刷制御装置の制御方法を説明するフローチャートである。
【図１１】印刷制御装置における画像処理を説明する図である。
【図１２】印刷制御装置の制御方法を説明するフローチャートである。
【図１３】針有り針無しの綴じ処理による印刷結果を対比して示す図である。
【発明を実施するための形態】
【００１２】
次に本発明を実施するための最良の形態について図面を参照して説明する。
＜システム構成の説明＞
〔第１実施形態〕
【００１３】
図１は、本実施形態を示す印刷制御装置を適用する画像処理装置の構成を説明するブロック図である。本例は、画像を読み取る読み取り機能と、画像をシートに印刷する印刷機能とを備える画像処理装置に、シート後処理を行うシート処理装置を接続可能に構成されている場合を示す。
【００１４】
図１において、ＣＰＵ１０１は、システムの制御部であり、装置全体を制御する。ＲＯＭ１０２は、ＣＰＵ１０１の制御プログラムを格納する。ＳＲＡＭ１０３は、オペレータが登録した設定値や装置の管理データ等や各種ワーク用バッファ等を格納する。ＳＲＡＭ１０３は、電池によりバックアップされており、装置の電源を切っても記憶内容が消えない不揮発性のＳＲＡＭである。また、ＳＲＡＭ１０３は、読み取られた画像データもここに格納する。
【００１５】
ＤＲＡＭ１０４は、プログラム制御変数等を格納するためのものである。操作部１０５は機器内の情報を表示するユーザとのインタフェース部で、後述するユーザインタフェース画面を表示可能に構成されている。読み取り部１０６は画像データを読み取り、バイナリデータに変換する装置でありこれを用いて画像送信機能の原稿読み取りを行なう。記録部１０７は画像データをシートに印刷する。画像処理部１０８は、画像送信機能で扱う画像データの符号化復号化処理を行う。それぞれの制御部はデータバス１１０を介して繋がっており、画像データはデータバス１１０を通じて転送される。
【００１６】
また、記録部１０７はシート処理部１０９に接続されており、記録部１０７で印刷されたシートはシート処理部に送られる。シート処理部１０９は入力されたシートを揃えたり、出力トレイを切り替えたり、複数のシートを綴じる綴じ処理を行ったりする、後処理を行う箇所である。なお、本実施形態では、シート束を針を使用して綴じるものを第１の綴じ処理とし、シート束を針を使用しないで綴じるものを第２の綴じ処理として区別して説明する。
このように構成された画像処理装置において、読み取り部１０６から原稿画像を読み取ってバイナリデータに変換し、読み取った画像データをＳＲＡＭ１０３に一端格納する。画像処理部１０８で前記格納された画像データを変換してから記録部１０７でシートに印刷し、シート処理部１０９で後処理を行う印刷制御を例として動作を説明する。
【００１７】
図２は、図１に示したシート処理部１０９に関してさらに詳細を示したシート処理部の構成例を示す断面図である。本例は、画像処理装置のシート処理装置の筐体内部に設置されている例である。
なお、印刷処理を実行するエンジン部を備える記録部１０７については省略するが、シート処理部は画像処理装置本体部に接続されて使用される態様である。また、接続態様は、インライン方式とそれ以外の方式とがあるが本発明の適用に制限はない。
【００１８】
図２において、２０１はシート処理装置で、シート処理装置２０１は記録部１０７と接続されて使用される。記録部１０７からは搬送ローラ２０４を通してシートが送られてくる。２０５は両面印刷時にシートを反転させるための搬送ローラであり、反転時にはここを通って記録部１０７に再度入って裏面の印刷を行う。その場合も搬送ローラ２０４を通ってシート処理装置２０１に出力シートが送られる。
シート処理装置２０１では出力シートを揃えたり、移動したりする機能があるが、ここでは綴じ機能について注目する。
【００１９】
２０２はステイプラであり、ステイプル針のような金属針を使用してシートを綴じる機能を持つ第１の綴じ部である。２０３は、針を使用しないでシートを綴じる綴じ機能を提供する第２の綴じ部である。針を使用しない綴じの方法としては前記のとおり多数あるが、ここではシートの厚さ方向の上下から圧力をかける加圧力でシートを密着し綴じる方式の物を搭載している例とする。
【００２０】
このようにシート処理装置２０１に第１の綴じ部２０２と第２の綴じ部２０３が併設されているようなシート処理装置を例として挙げる。ただし、針を使用しない第２の綴じ部のみの構成であっても構わない。以下、第１の綴じ部２０２と第２の綴じ部２０３とが併設されている場合、単独の場合について以下に説明する。
【００２１】
なお、針無しの綴じ機能を使用する場合、前述の通りシートに加工する箇所を針を使うステイプル綴じに比べて大きく確保する必要がある。
【００２２】
図３は、図２に示した第１の綴じ部と第２の綴じ部との配置および綴じ作業域を示す図である。
【００２３】
図３において、３０１は綴じる際のシートを示し、第１の綴じ部２０２がスタンバイ位置に停止している状態を示す。実際にシートを綴じる際、第１の綴じ部２０２は、スタンバイ位置から矢印で示す綴じ位置３０２に移動してシートを綴じる構成となっている。なお、綴じ部を移動する機構は省略するが、その移動等はＣＰＵ１０１の指示にしたがって制御される。
【００２４】
同様に、針を使用しない第２の綴じ部２０３も通常は、スタンバイ位置に停止して、実際にシートを綴じる際、スタンバイ位置から綴じ位置３０３に移動してシートを綴じる構成となっている。すなわち、いろいろな綴じ方に応じて図１に示したＣＰＵ１０１の制御によって第１の綴じ部２０２と第２の綴じ部２０３とは可動可能となっている。
【００２５】
図４は、図２に示した第２の綴じ部の綴じ処理を説明する断面図である。ここではシートの厚さ方向の上下から圧力をかける加圧力でシートを密着し綴じる方法で説明する。具体的には、シートが綴じる位置にセットされ、図３で示したように綴じ位置３０３に第２の綴じ部２０３が移動した状態が図３の（ａ）に対応する。
【００２６】
図４において、４０１は上金型で、シートを圧力で押さえ付ける。上金型４０１には複数の凸形状の刃が付いており複数個所加圧することですぐにははがれないようにしている。４０５は下金型で、シートを圧力で押さえ付ける。下金型４０５にも上金型４０１の複数の凸部４０２に対応した凹部４０４があり上金型４０１の刃を受けるようになっている。上金型４０１と下金型４０５で出力シートを図４の（ｂ）に示すように上下方向から加圧（図示しない加圧機構による）して押さえることで、シートを綴じることが可能となっている。綴じた後の出力シート束４０３の断面は、図５に示すようになる。綴じたシート束４０３を上から見ると、綴じ位置６０１は図６のようになる。
本実施形態では、図６の綴じ位置６０１の黒い部分が加圧されて、つぶれたシートの部分となる。なお、加圧して綴じるためこの方法では現状綴じる枚数が限られている。
また、１回の綴じでは綴じる力が弱いこともあり、２度綴じなどが行えるようになっている。
【００２７】
図７は、本実施形態を示す印刷制御装置における画像出力処理を説明する図である。以下、第２の綴じ処理が選択された場合に画像出力領域を自動調整する例を説明する。
図７において、４１４は出力物で、綴じ位置４１１で、針無しの綴じ機能を使用した例である。この例では左上隅の１点を綴じた場合の例を示している。この綴じ位置４１１を見た場合に、綴じるために紙を押しつけてかしめとり綴じ合わせているが、この紙に加工している部分が４１１に示される部分である。この加工面積は針を使用した場合よりも大きくなるため、この部分にかからないように画像を調整するものである。
具体的な例としては、出力物の端から綴じ位置４１１までの距離を考える。上端部からの距離４１３をＹｍｍ、左端部からの距離４１２をＸｍｍとすると、この箇所よりも端寄りに画像が載っている場合は見にくくなるため、この部分に画像が載らないように調整する。
４１５は第１の調整出力で、印刷すべき印刷データに対して縮小処理とシフト移動を併用して出力領域を調整した例である。
【００２８】
ここで、出力物の横の長さをＡｍｍ、縦の長さをＢｍｍとすると、ＣＰＵ１０１はＸ変倍率＝（Ａ−Ｘ）÷Ａ、Ｙ変倍率＝（Ｂ−Ｙ）÷Ｂとして縮小率を求め、画像データを縮小処理する。さらにこの画像を出力紙の右下に移動して配置するように制御することで、画像の上端および左端に余白を設けることができる。これにより、針無しの綴じ機能を使用しても、出力物が見にくくなるという課題を解決できるものである。
【００２９】
４１６は第２の調整出力で、印刷すべき印刷データに対してシフト移動のみを使用して調整した例である。
ここで、ＣＰＵ１０１は、上端部からの距離のＹｍｍ４１３、左端部からの距離のＸｍｍ４１２分、右下に移動して印刷するように制御することにより、画像の上端および左端に余白を設けることができる。これにより、針無しの綴じ機能を使用しても、出力物が見にくくなるという課題を解決できるものである。
【００３０】
図８は、図１に示した操作部１０５の表示部に表示されるユーザインタフェース画面（ＵＩ画面）の一例を示す図である。本例は、ユーザが前述の針無しの綴じ機能を使用する時の画像調整を設定する際の設定画面例である。なお、ＵＩ画面５０１〜５０４は、ＣＰＵ１０１の制御で上記表示部に表示される。
【００３１】
図８において、５０１はＵＩ画面で、コピーの待機画面を示している。ユーザが針無しの綴じ機能を使ったコピー機能を使用する場合には、まず仕上げボタンを押下する。５０２はＵＩ画面で、仕上げ設定の画面例を示し、ＵＩ画面５０３は、仕上げ設定の画面においてユーザが設定した仕上げ設定の確認画面を示している。５０４はＵＩ画面で、確認画面に対するユーザの指示で復帰するコピー待機画面を示している。
【００３２】
図９は、本実施形態を示す印刷制御装置の制御方法を説明するフローチャートである。
本例は、仕上げ設定処理例である。なお、各ステップは、図１のＣＰＵ１０１が、ＲＯＭ１０２に格納されている図９のフローチャートを実行するためのプログラムを実行することで実現される。
まず、ユーザは、ＵＩ画面５０１で仕上げボタン５０１Ａを押下すると、ＣＰＵ１０１は、ＵＩ画面５０１をＵＩ画面５０２に切り替える。そして、ユーザがＵＩ画面５０２を用いて設定する仕上げの種類と綴じ位置を受け付ける（Ｓ６０１）。なお、ＵＩ画面５０２の例では、仕上げの種類と、綴じ位置（左上、左下、右上、右下）を選択可能な例を示し、実行ボタン、中止ボタンで設定をキャンセルしたり、確定できるように構成されている。
また、ユーザにより設定された仕上げに関わる設定値はＳＲＡＭ１０３に保存され、ＣＰＵ１０１は、ＳＲＡＭ１０３に格納された設定値を確認可能に構成されている。
【００３３】
次に、ＣＰＵ１０１は、設定された仕上げの種類が針有りの綴じ処理か、針無しの綴じ処理かのいずれであるかを判断する（Ｓ６０２）。ここで、ユーザがＵＩ画面５０２を用いて設定した仕上げの種類が針使用の綴じ処理であるとＣＰＵ１０１が判断した場合は、綴じ種別を針使用に設定を登録値としてＳＲＡＭ１０３に保存する（Ｓ６０３）。
【００３４】
一方、ユーザがＵＩ画面５０２を用いて設定した仕上げの種類が針無しの綴じ処理であるとＣＰＵ１０１が判断した場合は、綴じ種別を針無しに設定を登録値としてＳＲＡＭ１０３に保存する（Ｓ６０４）。そして、ＣＰＵ１０１は続けて画像調整するかどうかの確認画面を示すＵＩ画面５０３を表示部に表示し、ユーザに対し設定を促す。ユーザにより、画像調整方法が設定がされたら、ＣＰＵ１０１は結果が調整しないであるか、シフト調整するであるのか、縮小調整であるのかを判断する（Ｓ６０５）。ここで、ＣＰＵ１０１は、設定の結果に基づいて、「調整しない」、「縮小して調整」、「シフトして調整」の各設定を登録値としてＳＲＡＭ１０３に保存する（Ｓ６０６、Ｓ６０７、Ｓ６０８）。
【００３５】
次に、針使用／針無しにかかわらず、ＣＰＵ１０１は、綴じ位置に関する設定が「左上」、「左下」、右上」、「右下」、いずれであるかを判断する（Ｓ６０９）。
ここで、設定の結果、綴じ位置として選択される「左上」、「左下」、「右上」、「右下」の各設定を登録値としてＳＲＡＭ１０３に保存する（Ｓ６１０、Ｓ６１１、Ｓ６１２、Ｓ６１３）。これで仕上げ設定については設定が完了するので、ＣＰＵ１０１は、操作部１０５の表示部のＵＩ画面を一度待機画面を示すＵＩ画面５０４に戻す。
この状態でユーザは他のコピー設定行い、その後ユーザによりコピースタートキーを押下することでコピーを開始する。
【００３６】
このように針不使用の綴じ機能使用時には、ユーザが簡易的に調整できるような操作を行えるようになる
【００３７】
図１０は、本実施形態を示す印刷制御装置の制御方法を説明するフローチャートである。
本例は、コピージョブが実際に印刷されるまでの処理例である。なお、各ステップは、図１のＣＰＵ１０１が、ＲＯＭ１０２に格納されている後述の図１０のフローチャートを実行するためのプログラムを実行することで実現される。以下、ＣＰＵ１０１が綴じ手段による綴じ処理が指定されている場合、シートに印刷すべき画像データの印刷領域を調整するように記録部１０７、シート処理部１０９を制御する例を詳述する。ここで、印刷領域を調整する手法として、本実施形態では、印刷すべき画像データの印刷位置を移動処理（シフト処理）、縮小処理する例を説明する。
印刷時には、ＣＰＵ１０１は、まず綴じ機能を使用するジョブかどうかの設定をＳＲＡＭ１０３に登録された情報により判断する（Ｓ７０１）。ここで、綴じ機能を使用しないジョブであるとＣＰＵ１０１が判断した場合、仕上げ機能としての画像調整は行わないため、ＣＰＵ１０１は何もせずにＳ７０２に進む。
【００３８】
一方、綴じ機能を使用するジョブであるとＣＰＵ１０１が判断した場合は、次に、ＣＰＵ１０１は、ユーザにジョブに設定した綴じ機能が針を使用する綴じ処理か、針無しの綴じ処理かの設定をＳＲＡＭ１０３に登録された情報により判断する（Ｓ７０３）。ここで、針を使用する綴じ処理を使うジョブであるとＣＰＵ１０１が判断した場合、仕上げ機能としての画像調整は行わないため、ＣＰＵ１０１は何もせずにＳ７０２へ進む。
【００３９】
一方、針無しの綴じ処理を使うジョブであるとＣＰＵ１０１が判断した場合は、次にＣＰＵ１０１は、ユーザによりジョブに対して設定で画像調整をする指示がされているかどうかをＳＲＡＭ１０３に登録されたユーザによる選択指示の内容により判断する（Ｓ７０４）。ここで、調整しないに設定されたジョブであるとＣＰＵ１０１が判断した場合、仕上げ機能としての画像調整は行わないため、ＣＰＵ１０１は何もせずにＳ７０２へ進む。
一方、調整する指示がされているジョブであるとＣＰＵ１０１が判断した場合で、かつ、それが印刷すべき印刷データの画像を縮小して調整することがユーザにより指示されていると判断した場合は、ＣＰＵ１０１は、余白を空けるように印刷すべき印刷データの画像の縮小処理を印刷ページ数分行う（Ｓ７０５）。
【００４０】
一方、調整する指示がされているジョブであるとＣＰＵ１０１が判断した場合で、かつ、それが印刷すべき印刷データの画像をシフトして調整することがユーザにより指示されていると判断した場合は、Ｓ７０６へ進む。そして、ＣＰＵ１０１は、ユーザにより設定された綴じ位置の設定をＳＲＡＭ１０３に登録された情報、その位置が左上、左下、右上、右下のいずれであるかを判断する（Ｓ７０６）。そして、ＣＰＵ１０１は、綴じ位置の設定と対角の位置に移動するように印刷すべき印刷データの画像をシフトさせる処理を印刷すべきページ数分行い（Ｓ７０７、Ｓ７０８、Ｓ７０９、Ｓ７１０）、これらの画像調整処理が終わると、仕上げ処理としての画像調整は終了する。
【００４１】
このように、ユーザは簡単な設定を行うだけで、針無しの綴じ機能を使用した場合でも画像が見にくくならない出力紙を印刷することができる。つまり、針不使用の綴じ機能を使用した際に、従来の針使用の綴じ機能を使用した場合よりも綴じられた出力物の可視領域が狭くなったために、出力物に印字された画像が読みにくくなるという問題を改善できる。
なお、本実施形態における処理を行った場合は、印刷結果が見易くはなるが、出力物は縮小処理によって少し小さくなったり、またシフト処理で少し端が切れてしまったりする場合がある。従って、この出力物を再度コピーする場合は元のサイズに戻せる方が望ましい。
〔第２実施形態〕
以下、上記第１実施形態により、針無しの綴じ機能を使用した際に、画像調整した出力物を再コピーする場合に、画像調整前の原稿の画像と同じ画像として再現できるように再生するように制御する第２実施形態について説明する。
【００４２】
図１１は、本実施形態を示す印刷制御装置における画像処理を説明する図である。本例は、上記実施形態で画像調整された場合に、印刷すべき印刷データに画像調整された画像を適正に再現するための印刷データとともに印刷される画像処理情報を示している。本実施形態では、付加情報として、２次元のＱＲコード（登録商標）の例を示す。
【００４３】
図１１において、前述の針無し綴じ機能を使用した際に、画像調整した出力物８０１を印刷する際に、調整した内容を示す符号データである画像処理情報８０２を印刷データに埋め込んでおく。そして、読み取り部１０６でこのような出力物８０１を原稿として読み取った場合、画像処理部１０８が当該読み取られる画像データを解析してこの符号データが検出された場合、ＣＰＵ１０１は調整量を画像処理部１０８から受け取り、自動的に逆の画像調整を行う。これにより、読み取った画像データに対して元の印刷データに再現するための画像処理を行うことで、オリジナルの原稿に等しい出力８０３を得ることができる。
【００４４】
図１２は、本実施形態を示す印刷制御装置の制御方法を説明するフローチャートである。
本例は、画像調整された原稿を読み取って元の原稿と同じ画像に戻すように印刷する処理例である。なお、各ステップは、図１のＣＰＵ１０１が、ＲＯＭ１０２に格納されている後述の図１２のフローチャートを実行するためのプログラムを実行することで実現される。
【００４５】
まず、ユーザの操作により、ＣＰＵ１０１からの指示で読み取り部１０６は原稿を読み取る（Ｓ９０１）。次に、ＣＰＵ１０１は、画像処理部１０８でその原稿から読み取った画像データを解析させ、読み取った原稿に画像処理情報８０２が埋め込まれているかを判断する（Ｓ９０２）。ここで、画像処理情報８０２が埋め込まれていないとＣＰＵ１０１が判断した場合、ＣＰＵ１０１は何も処理を行わず、Ｓ９０４へ進む。
【００４６】
一方、画像処理情報８０２が埋め込まれていると判断した場合は、ＣＰＵ１０１は画像処理情報８０２を解析し、画像データをもと画像と同じになるように画像処理部１０８を用いて調整する（Ｓ９０３）。次に、ＣＰＵ１０１は、あらかじめ元の原稿に近い状態に調整した後で、今回の再コピーで設定されている画像設定に従って画像データを調整する（Ｓ９０４）。具体的には、画像処理情報８０２によって、縮小＋シフト移動されていることを示すことが判明した場合は、ＣＰＵ１０１が画像処理部１０８と記録部１０７を制御して、拡大＋シフト逆移動を行うことで元の画像に近い状態に再調整する。
そして、ＣＰＵ１０１の指示により、記録部１０７は再調整された画像データを印刷出力して（Ｓ９０５）、コピー処理を終了する。
これにより、針無しの綴じ処理された印刷物を原稿としてコピー処理を実行する場合、当該原稿に付加された画像処理情報８０２を読み取ることで、オリジナルの原稿に近い印刷結果を得ることができる。
【００４７】
また、この出力物を再コピーした際にオリジナルの大きさや位置に戻す機能を持たせることで、自動調整された出力物の印字画像を簡単に戻すことができるようになる。
なお、本実施形態では、印刷ジョブは、読み取り部１０６が読み取る画像データから生成される例を示したが、図１に示すネットワーク１１２を介してデータ処理装置と通信インタフェース１１１を用いて通信する画像処理装置にも本発明を適用可能である。その場合は、ネットワーク１１２を介してデータ処理装置と通信して針を使用しない綴じ処理が設定された印刷ジョブを受信する。その際に、必要に応じてデータ処理装置のユーザに針無し綴じ処理を選択するかどうかのＵＩ画面を提供して、データ処理装置側のユーザによる指示を印刷ジョブの処理に反映させてもよい。
【００４８】
本発明の各工程は、ネットワーク又は各種記憶媒体を介して取得したソフトウエアプログラムをパソコンコンピュータ等の処理装置ＣＰＵ、プロセッサにて実行することでも実現できる。
【００４９】
本発明は上記実施形態に限定されるものではなく、本発明の趣旨に基づき種々の変形各実施形態の有機的な組合せを含むが可能であり、それらを本発明の範囲から除外するものではない。
【符号の説明】
【００５０】
１０１  ＣＰＵ
１０５  操作部
１０６  読み取り部
１０７  記録部
【図１】
2013172370.tif 000003
【図２】
2013172370.tif 000004
【図３】
2013172370.tif 000005
【図４】
2013172370.tif 000006
【図５】
2013172370.tif 000007
【図６】
2013172370.tif 000008
【図７】
2013172370.tif 000009
【図８】
2013172370.tif 000010
【図９】
2013172370.tif 000011
【図１０】
2013172370.tif 000012
【図１１】
2013172370.tif 000013
【図１２】
2013172370.tif 000014
【図１３】
2013172370.tif 000015